(57)【要約】【課題】簡単かつ確実に注文を処理することができる注文処理装置、注文処理システム及び制御プログラム並びに注文処理方法の提供。【解決手段】デジタルカメラやメディアから画像データを読み取る読取部と、読み取った画像データを保存する記憶部、と制御部とを少なくとも備える注文処理装置又は注文処理システムにおいて、制御部では、予め定められたルールに従って、単独で画像データを識別可能な第１のファイル名を生成し、画像データの元のファイル名又は画像データのヘッダ情報に基づいて、元のファイル名又はヘッダ情報に関連付けられた特定情報（例えば、元のファイル名又はその一部又はヘッダの一部、又はそれらに基づいて生成した情報など）を生成し、第１のファイル名に特定情報を付加して、第２のファイル名を生成し、画像データを第２のファイル名にリネームして記憶部に保存する。【選択図】図３
2008227997.tif 000002
【特許請求の範囲】
【請求項１】
画像データを読み取る読取部と、前記画像データを保存する記憶部と、制御部とを少なくとも備える注文処理装置又は注文処理システムにおいて、
前記制御部は、
予め定められたルールに従って、単独で前記画像データを識別可能な第１のファイル名を生成し、
前記画像データの元のファイル名又は前記画像データのヘッダ情報に基づいて、前記元のファイル名又は前記ヘッダ情報に関連付けられた特定情報を生成し、
前記第１のファイル名に前記特定情報を付加して、前記画像データを前記記憶部に保存するための第２のファイル名を生成する名称生成手段を少なくとも備えることを特徴とする注文処理装置又は注文処理システム。
【請求項２】
画像データを読み取る読取部と、前記画像データを記録媒体に書き込む書込部と、前記画像データを保存する記憶部と、制御部とを少なくとも備える注文処理装置又は注文処理システムにおいて、
前記制御部は、
予め定められたルールに従って、前記画像データを前記記録媒体に書き込むための第１のファイル名を生成し、
前記画像データの元のファイル名又は前記画像データのヘッダ情報に基づいて、前記元のファイル名又は前記ヘッダ情報に関連付けられた特定情報を生成し、
前記第１のファイル名に前記特定情報を付加して、前記画像データを前記記憶部に保存するための第２のファイル名を生成する名称生成手段を少なくとも備えることを特徴とする注文処理装置又は注文処理システム。
【請求項３】
前記特定情報は、前記元のファイル名又はその一部、前記元のファイル名又はその一部に基づいて生成された情報、前記ヘッダ情報の一部、又は、前記ヘッダ情報の一部に基づいて生成された情報であることを特徴とする請求項１又は２に記載の注文処理装置又は注文処理システム。
【請求項４】
前記名称生成手段は、前記第１のファイル名の後ろに前記特定情報を付加して前記第２のファイル名を生成することを特徴とする請求項１乃至３のいずれか一に記載の注文処理装置又は注文処理システム。
【請求項５】
コンピュータを、
予め定められたルールに従って、単独で画像データを識別可能な第１のファイル名を生成し、
前記画像データの元のファイル名又は前記画像データのヘッダ情報に基づいて、前記元のファイル名又は前記ヘッダ情報に関連付けられた特定情報を生成し、
前記第１のファイル名に前記特定情報を付加して、前記画像データを保存するための第２のファイル名を生成する名称生成手段、として機能させることを特徴とする制御プログラム。
【請求項６】
コンピュータを、
予め定められたルールに従って、画像データを記録媒体に記録するための第１のファイル名を生成し、
前記画像データの元のファイル名又は前記画像データのヘッダ情報に基づいて、前記元のファイル名又は前記ヘッダ情報に関連付けられた特定情報を生成し、
前記第１のファイル名に前記特定情報を付加して、前記画像データを記憶部に保存するための第２のファイル名を生成する名称生成手段、として機能させることを特徴とする制御プログラム。
【請求項７】
前記特定情報は、前記元のファイル名又はその一部、前記元のファイル名又はその一部に基づいて生成された情報、前記ヘッダ情報の一部、又は、前記ヘッダ情報の一部に基づいて生成された情報であることを特徴とする請求項５又は６に記載の制御プログラム。
【請求項８】
前記名称生成手段は、前記第１のファイル名の後ろに前記特定情報を付加して前記第２のファイル名を生成することを特徴とする請求項５乃至７のいずれか一に記載の制御プログラム。
【請求項９】
画像データを読み取る読取部と、前記画像データを保存する記憶部と、制御部とを少なくとも備える注文処理装置又は注文処理システムにおける注文処理方法であって、
撮影機器又は撮影機器用記録媒体から前記画像データを読み取るステップと、
予め定められたルールに従って、単独で前記画像データを識別可能な第１のファイル名を生成するステップと、
前記画像データの元のファイル名又は前記画像データのヘッダ情報に基づいて、前記元のファイル名又は前記ヘッダ情報に関連付けられた特定情報を生成するステップと、
前記第１のファイル名に前記特定情報を付加して、第２のファイル名を生成するステップと、
前記画像データを前記第２のファイル名にリネームして前記記憶部に保存するステップと、を少なくとも有することを特徴とする注文処理方法。
【請求項１０】
画像データを読み取る読取部と、前記画像データを記録媒体に書き込む書込部と、前記画像データを保存する記憶部と、制御部とを少なくとも備える注文処理装置又は注文処理システムにおける注文処理方法であって、
撮影機器又は撮影機器用記録媒体から前記画像データを読み取るステップと、
予め定められたルールに従って、第１のファイル名を生成するステップと、
前記画像データを前記第１のファイル名にリネームして前記記録媒体に書き込むステップと、
前記画像データの元のファイル名又は前記画像データのヘッダ情報に基づいて、前記元のファイル名又は前記ヘッダ情報に関連付けられた特定情報を生成するステップと、
前記第１のファイル名に前記特定情報を付加して、第２のファイル名を生成するステップと、
前記画像データを前記第２のファイル名にリネームして前記記憶部に保存するステップと、を少なくとも有することを特徴とする注文処理方法。
【請求項１１】
前記特定情報は、前記元のファイル名又はその一部、前記元のファイル名又はその一部に基づいて生成された情報、前記ヘッダ情報の一部、又は、前記ヘッダ情報の一部に基づいて生成された情報であることを特徴とする請求項９又は１０に記載の注文処理方法。
【請求項１２】
前記第２のファイル名を生成するステップでは、前記第１のファイル名の後ろに前記特定情報を付加して前記第２のファイル名を生成することを特徴とする請求項９乃至１１のいずれか一に記載の注文処理方法。
【発明の詳細な説明】
【技術分野】
【０００１】
本発明は、注文処理装置、注文処理システム及び制御プログラム並びに注文処理方法に関し、特に、画像データを保存する機能を備えた注文処理装置又は注文処理システム、画像データのファイル名を生成する制御プログラム、該注文処理装置又は注文処理システムを用いた注文処理方法に関する。
【背景技術】
【０００２】
近年、写真画像に関する様々なサービスが提供されている。例えば、ラボ等の注文店舗に写真を撮影したデジタルカメラやメディアなどを持ち込むと、注文店舗では、注文処理装置を用いてデジタルカメラやメディアから画像データを読み取り、その画像データに基づいて写真プリントを作成してユーザに提供したり、更に、その画像データをＣＤ−Ｒ、ＤＶＤ−Ｒ等の記録媒体に書き込み、写真プリントと記録媒体をセットにしてユーザに提供するサービスを行っている（例えば、下記特許文献１参照）。
【０００３】
【特許文献１】特開２００５−１０５６５号公報（第５−１１頁、第１図）
【発明の開示】
【発明が解決しようとする課題】
【０００４】
ここで、複数のデジタルカメラやメディアに記録された画像データはファイル名が重複する場合があることから、注文店舗では、予め定められたルールに従ってファイル名を生成し、読み取った画像データをそのファイル名にリネームしてＨＤＤなどの記憶部に保存したり、記録媒体に書き込んでいる。
【０００５】
これにより、ユーザがリネームしたファイル名で写真プリントの焼き増しなどの注文を行えば、注文店舗ではそのファイル名の画像データを記憶部から読み出し、読み出した画像データに基づいて注文を処理することができる。
【０００６】
しかしながら、元々デジタルカメラやメディアに記録されていた画像データのファイル名と、記憶部に保存又は記録媒体に記録された画像データのファイル名とは一致しないため、ユーザが、デジタルカメラやメディアに記録された画像データのファイル名を指定して写真プリントの焼き増しなどの注文を行っても、注文店舗では指定されたファイル名では画像データを特定することができず、注文を処理することができないという問題があった。
【０００７】
本発明は、上記問題点に鑑みてなされたものであって、その主たる目的は、簡単かつ確実に注文を処理することができる注文処理装置、注文処理システム及び制御プログラム並びに注文処理方法を提供することにある。
【課題を解決するための手段】
【０００８】
上記目的を達成するため、本発明は、画像データを読み取る読取部と、前記画像データを保存する記憶部と、制御部とを少なくとも備える注文処理装置又は注文処理システムにおいて、前記制御部は、予め定められたルールに従って、単独で前記画像データを識別可能な第１のファイル名を生成し、前記画像データの元のファイル名又は前記画像データのヘッダ情報に基づいて、前記元のファイル名又は前記ヘッダ情報に関連付けられた特定情報を生成し、前記第１のファイル名に前記特定情報を付加して、前記画像データを前記記憶部に保存するための第２のファイル名を生成する名称生成手段を少なくとも備えるものである。
【０００９】
また、本発明は、画像データを読み取る読取部と、前記画像データを記録媒体に書き込む書込部と、前記画像データを保存する記憶部と、制御部とを少なくとも備える注文処理装置又は注文処理システムにおいて、前記制御部は、予め定められたルールに従って、前記画像データを前記記録媒体に書き込むための第１のファイル名を生成し、前記画像データの元のファイル名又は前記画像データのヘッダ情報に基づいて、前記元のファイル名又は前記ヘッダ情報に関連付けられた特定情報を生成し、前記第１のファイル名に前記特定情報を付加して、前記画像データを前記記憶部に保存するための第２のファイル名を生成する名称生成手段を少なくとも備えるものである。
【００１０】
本発明においては、前記特定情報は、前記元のファイル名又はその一部、前記元のファイル名又はその一部に基づいて生成された情報、前記ヘッダ情報の一部、又は、前記ヘッダ情報の一部に基づいて生成された情報とすることができる。
【００１１】
また、本発明においては、前記名称生成手段は、前記第１のファイル名の後ろに前記特定情報を付加して前記第２のファイル名を生成する構成とすることができる。
【００１２】
また、本発明は、コンピュータを、予め定められたルールに従って、単独で画像データを識別可能な第１のファイル名を生成し、前記画像データの元のファイル名又は前記画像データのヘッダ情報に基づいて、前記元のファイル名又は前記ヘッダ情報に関連付けられた特定情報を生成し、前記第１のファイル名に前記特定情報を付加して、前記画像データを保存するための第２のファイル名を生成する名称生成手段、として機能させるものである。
【００１３】
また、本発明は、コンピュータを、予め定められたルールに従って、画像データを記録媒体に記録するための第１のファイル名を生成し、前記画像データの元のファイル名又は前記画像データのヘッダ情報に基づいて、前記元のファイル名又は前記ヘッダ情報に関連付けられた特定情報を生成し、前記第１のファイル名に前記特定情報を付加して、前記画像データを記憶部に保存するための第２のファイル名を生成する名称生成手段、として機能させるものである。
【００１４】
また、本発明は、画像データを読み取る読取部と、前記画像データを保存する記憶部と、制御部とを少なくとも備える注文処理装置又は注文処理システムにおける注文処理方法であって、撮影機器又は撮影機器用記録媒体から前記画像データを読み取るステップと、予め定められたルールに従って、単独で前記画像データを識別可能な第１のファイル名を生成するステップと、前記画像データの元のファイル名又は前記画像データのヘッダ情報に基づいて、前記元のファイル名又は前記ヘッダ情報に関連付けられた特定情報を生成するステップと、前記第１のファイル名に前記特定情報を付加して、第２のファイル名を生成するステップと、前記画像データを前記第２のファイル名にリネームして前記記憶部に保存するステップと、を少なくとも有するものである。
【００１５】
また、本発明は、画像データを読み取る読取部と、前記画像データを記録媒体に書き込む書込部と、前記画像データを保存する記憶部と、制御部とを少なくとも備える注文処理装置又は注文処理システムにおける注文処理方法であって、撮影機器又は撮影機器用記録媒体から前記画像データを読み取るステップと、予め定められたルールに従って、第１のファイル名を生成するステップと、前記画像データを前記第１のファイル名にリネームして前記記録媒体に書き込むステップと、前記画像データの元のファイル名又は前記画像データのヘッダ情報に基づいて、前記元のファイル名又は前記ヘッダ情報に関連付けられた特定情報を生成するステップと、前記第１のファイル名に前記特定情報を付加して、第２のファイル名を生成するステップと、前記画像データを前記第２のファイル名にリネームして前記記憶部に保存するステップと、を少なくとも有するものである。
【００１６】
このように、本発明では、第１のファイル名に特定情報を付加した第２のファイル名で、記憶部に画像データが保存されるため、元のファイル名やヘッダ情報を用いて注文を行っても、注文対象となる画像データを特定することができ、簡単かつ確実に注文を処理することができる。
【発明の効果】
【００１７】
本発明の注文処理装置、注文処理システム及び制御プログラム並びに注文処理方法によれば、簡単かつ確実に注文を処理することができる。
【００１８】
その理由は、注文処理システムの記憶部に画像データを保存する際に、予め定められたルールに従って、単独で画像データを識別可能な第１のファイル名を生成し、その画像データの元のファイル名又は画像データのヘッダ情報に基づいて、元のファイル名又はヘッダ情報に関連付けられた特定情報を生成し、第１のファイル名に特定情報を付加して第２のファイル名を生成し、その第２のファイル名で画像データを保存するため、元のファイル名やヘッダ情報を用いて注文を行っても、注文対象となる画像データを特定することができるからである。
【発明を実施するための最良の形態】
【００１９】
本発明は、その好ましい一実施の形態において、デジタルカメラやメディアから画像データを読み取る読取部と、読み取った画像データを保存する記憶部と、これらを制御する制御部とを少なくとも備える注文処理装置又は注文処理システムにおいて、制御部では、予め定められたルールに従って、単独で画像データを識別可能な第１のファイル名を生成し、画像データの元のファイル名又は画像データのヘッダ情報に基づいて、元のファイル名又はヘッダ情報に関連付けられた特定情報（例えば、元のファイル名又はその一部、元のファイル名又はその一部に基づいて生成した情報、画像データのヘッダの一部、ヘッダ情報の一部に基づいて生成した情報など）を生成し、第１のファイル名に特定情報を付加して、第２のファイル名を生成し、画像データを第２のファイル名にリネームして記憶部に保存する制御を行う。これにより、第１のファイル名のみならず、元のファイル名やヘッダ情報を用いて写真プリントの作成等の注文を行っても、注文店舗ではそのファイル名に対応する画像データを特定することができるため、簡単かつ確実に注文を処理することができる。
【実施例１】
【００２０】
上記した本発明の一実施の形態についてさらに詳細に説明すべく、本発明の第１の実施例に係る注文処理装置、注文処理システム及び制御プログラム並びに注文処理方法について、図１乃至図６を参照して説明する。図１は、本実施例に係る注文処理システムの構成及び注文処理の流れを模式的に示す図であり、図２は、注文処理装置の構成を示すブロック図である。また、図３及び図４は、本実施例の注文処理手順を示すフローチャート図であり、図５及び図６は、各々、メディア、記憶部におけるデータのディレクトリ構造を示す図である。
【００２１】
図１に示すように、本実施例の注文システム１は、デジタルカメラ２やカメラ付き携帯電話機等の撮影機器（以下、デジタルカメラ２とする。）又はスマートメディア、コンパクトフラッシュ（登録商標）、メモリースティック（登録商標）、ＳＤメモリーカード、マルチメディアカードなどの撮影機器用記録媒体（以下、メディア３と呼ぶ。）を用いて注文を行うユーザと、ユーザから提供された画像データに基づいて注文処理を行う注文処理装置１０を備える注文店舗とから構成される。
【００２２】
また、図２に示すように、本実施例の注文処理装置１０は、デジタルカメラ２やメディア３から画像データを読み取る読取部１２と、読み取った画像データに基づいて写真プリント５やポストカードなど（以下、写真プリント５として説明する。）を作成する印刷部１３と、ＬＣＤ（Liquid Crystal Display）などの表示部１４と、ボタン、キーボード、マウス等の操作部１５と、画像データを保存するＨＤＤ（Hard Disk Drive）などの記憶部１６と、ＣＰＵ（Central Processing Unit）やＲＯＭ（Read Only Memory）、ＲＡＭ（Random Access Memory）などのメモリで構成され、上記各手段の動作を制御する制御部１１などを備える。
【００２３】
また、上記制御部１１は、予め定められたルールに従って、単独で画像データを識別可能なファイル名（以下、第１のファイル名と呼ぶ。）を生成し、画像データの元のファイル名やヘッダ情報に基づいて、該元のファイル名やヘッダ情報に関連付けられた情報（例えば、元のファイル名又はその一部、元のファイル名又はその一部に基づいて生成した情報、画像データのヘッダ情報の一部、ヘッダ情報の一部に基づいて生成した情報など、以下、特定情報と呼ぶ。）を生成し、上記第１のファイル名に上記特定情報を付加して、画像データを記憶部１６に保存するためのファイル名（以下、第２のファイル名と呼ぶ。）を生成する名称生成手段１１ａなどを備える。
【００２４】
なお、上記名称生成手段１１ａはハードウェアとして構成してもよいし、コンピュータを、名称生成手段１１ａとして機能させる制御プログラムとして構成し、該制御プログラムを制御部１１上で動作させる構成としてもよい。
【００２５】
また、本実施例の注文処理装置１０には、少なくとも制御部１１と読取部１２と記憶部１６とを備えていればよく、他の手段は省略することができる。また、本実施例では、便宜上これらの手段を注文処理装置１０に設けているが、例えば、読取部１２を受付端末に設けたり、記憶部１６を、外付けのＨＤＤや、ＬＡＮ（Local Area Network）やＷＡＮ（Wide Area Network）などの通信ネットワークを介して注文処理装置１０に接続されるサーバなどとしてもよく、本実施例の注文処理を注文処理システムとして実行してもよい。
【００２６】
以下、本実施例の注文処理方法について説明するが、まず、初回の注文処理（図１の（１）、（２））について、図３のフローチャート図を参照して説明する。
【００２７】
まず、ステップＳ１０１で、ユーザがデジタルカメラ２やメディア３を注文店舗に提供すると、ステップＳ１０２で、注文処理装置１０の読取部１２は、デジタルカメラ２やメディア３から画像データを読み取る。このデジタルカメラ２やメディア３には、図５に示すように、デジタルカメラ２で設定されたルールに従って生成されたフォルダ名のフォルダ（DSCyymmdd:yymmddは撮影の年月日）に、デジタルカメラ２で設定されたルールに従って生成されたファイル名（以下、元のファイル名と呼ぶ。）の画像データ（DSCxxxxxx：xxxxxxはシーケンシャル番号）が格納されている。なお、ここでは、デジタルカメラ２又はメディア３から画像データを読み取る構成としているが、例えば、画像データを記録した記録媒体４から画像データを読み取ってもよいし、通信ネットワークを介して接続されるコンピュータ機器やサーバなどから画像データを読み取る構成としてもよい。
【００２８】
次に、ステップＳ１０３で、印刷部１３は読み取った画像データに基づいて写真プリント５などを作成する。なお、写真プリント５の作成は必須ではない。
【００２９】
次に、読み取った画像データを保存するが、その際、複数のデジタルカメラ２やメディア３から読み取った画像データを保存すると、フォルダ名やファイル名が重複する場合があることから、ステップＳ１０４で、名称生成手段１１ａは、注文店舗で画像データを管理するために、予め定められたルール（例えば、注文店舗が定めるルール）に従って、単独で画像データを識別可能なファイル名（第１のファイル名）や必要に応じてフォルダ名を生成する。
【００３０】
この第１のファイル名やフォルダ名の生成ルールは特に限定されず、注文店舗で任意に設定することができるが、例えば、フォルダ名をAAYYMMDDBB（AA：注文店舗を特定する情報、YYMMDD：注文年月日を特定する数字、BB：ユーザを特定する情報）などとし、ファイル名をAAYYMMDDBBxxx（AA：注文店舗を特定する情報、YYMMDD：注文年月日を特定する数字、BB：ユーザを特定する情報、xxx：シーケンシャル番号）などとすることができる。
【００３１】
次に、ステップＳ１０５で、名称生成手段１１ａは、画像データの元のファイル名やヘッダ情報に基づいて、元のファイル名又はヘッダ情報に関連付けられた特定情報を生成する。この特定情報は、画像データを特定可能な情報であればよく、例えば、画像データの元のファイル名（DSC00001など）としてもよいし、後述する第２のファイル名の名前が長くなりすぎないように、元のファイル名の一部（例えば、先頭の１桁、後ろの２桁を取り出したD01など）としてもよい。また、元のファイル名をそのまま利用すると、第三者が特定情報から画像データを特定することができることから、画像データの元のファイル名やその一部に基づいて生成した情報（例えば、予め記憶した変換テーブルに基づいて変換した情報や暗号化した情報など）とすることもできる。また、画像データのヘッダに記録された情報を利用することもできる。例えば、画像データがＥＸＩＦ（Exchangeable Image File Format）形式の場合は、ＥＸＩＦ情報として、画像タイトルや作成者、撮影日時などが記録されているため、このＥＸＩＦ情報の一部（例えば、作成者と撮影日時）、又は、ＥＸＩＦ情報の一部に基づいて生成した情報（例えば、予め記憶した変換テーブルに基づいて変換した情報や暗号化した情報など）を特定情報としても画像データを特定することが可能である。
【００３２】
次に、ステップＳ１０６で、名称生成手段１１ａは、第１のファイル名に特定情報を付加して、新たなファイル名（第２のファイル名）を生成する。例えば、第１のファイル名をAAYYMMDDBBxxxとすると、特定情報が元のファイル名（DSCxxxxxx）の場合は、第２のファイル名はAAYYMMDDBBxxx-DSCxxxxxxなどとなる。また、特定情報が元のファイル名の一部（例えば、Dxx）の場合は、第２のファイル名はAAYYMMDDBBxxx-Dxxなどとなる。また、特定情報が元のファイル名に基づいて生成された情報（例えば、XYZ）の場合は、第２のファイル名はAAYYMMDDBBxxx-XYZなどとなる。また、特定情報がヘッダ情報（ＥＸＩＦ情報）の一部又はその一部に基づいて生成された情報（例えば、作成者（HA）と撮影日時（2007/3/9））の場合は、第２のファイル名はAAYYMMDDBBxxx-HA070309などとなる。
【００３３】
なお、上記では、特定情報を識別しやすくするために、第１のファイル名に所定の記号（ここではハイフン）を付加し、その後ろに特定情報を付加したが、どの部分が特定情報であるかを注文店舗で識別可能であれば、記号は省略してもよい。また、ここでは、注文店舗での画像データの管理を容易にするために、第１のファイル名の後ろに特定情報を付加しているが、第１のファイル名の先頭や途中に付加することもできる。また、ここでは、ファイル名を生成する場合を示したが、同様のルールに従ってフォルダ名を生成することもできる。
【００３４】
そして、ステップＳ１０７で、制御部１１は、画像データを第２のファイル名にリネームして記憶部１６に記憶する。この記憶部１６のディレクトリ構造は図６（ａ）〜（ｄ）に示すようになり、任意の名称のフォルダ（ここでは、第１のファイル名と同様のルールに従って生成されたフォルダ名（AAYYMMDDBB）にデジタルカメラ２又はメディア３のフォルダ名（DSCyymmdd）を付加したAAYYMMDDBB-DSCyymmdd）内に、第２のファイル名にリネームした画像データが格納される。
【００３５】
次に、２回回目以降の注文処理（図１の（３）、（４））について、図４のフローチャート図を参照して説明する。
【００３６】
まず、ステップＳ２０１で、ユーザは、デジタルカメラ２の操作部を操作したり、メディア３を装填したコンピュータ機器の操作部を操作して、画像データに基づく画像を表示部に表示させ、注文の対象となる画像データを選択する。そして、選択した画像データのファイル名やヘッダ情報を調べ、そのファイル名やヘッダ情報を注文店舗に通知して写真プリント５の焼き増しなどの注文を行う。なお、ファイル名やヘッダ情報を注文店舗に通知する方法は任意であり、ユーザが注文店舗に出向いて店員にファイル名やヘッダ情報を通知してもよいし、所定の注文用紙に記入して通知してもよいし、コンピュータ機器などを用いて通信ネットワーク経由で注文処理装置１０にファイル名やヘッダ情報を送信してもよい。
【００３７】
次に、ステップＳ２０２で、制御部１１の名称生成手段１１ａは、前記した図３のフローチャート図のステップＳ１０５と同様に、通知されたファイル名やヘッダ情報に基づいて特定情報を生成する。例えば、元のファイル名を特定情報とする場合は、通知されたファイル名をそのまま特定情報とし、元のファイル名やヘッダ情報の一部を特定情報とする場合は、通知されたファイル名やヘッダ情報の予め定められた部分を取り出して特定情報を生成し、元のファイル名やその一部又はヘッダ情報の一部に基づいて生成された情報を特定情報とする場合は、同様のルールに従って、通知されたファイル名やその一部又はヘッダ情報の一部から特定情報を生成する。
【００３８】
次に、ステップＳ２０３で、制御部１１は、記憶部１６に予め記憶されている画像データの中から、ファイル名中に上記特定情報を含んでいる画像データを検索する。具体的には、記憶部１６に記憶されている画像データのファイル名（第２のファイル名）の特定部分（図６の例ではハイフンから拡張子までの間の部分）の情報と、上記ステップで生成した特定情報とを比較する。
【００３９】
そして、ステップＳ２０４で、ファイル名中に上記特定情報を含む画像データがあれば、記憶部１６からその画像データを読み取り、ステップＳ２０５で、印刷部１３を用いて写真プリント５の作成などの注文処理を行う。また、ファイル名中に上記特定情報を含む画像データがなければ、処理を終了するか、または、ユーザに対して画像データの提供を依頼する。
【００４０】
このように、本実施例では、名称生成手段１１ａ又は制御プログラムは、予め定められたルールに従って、単独で画像データを識別可能な第１のファイル名を生成し、画像データの元のファイル名又はヘッダ情報に基づいて、元のファイル名又はヘッダ情報に関連付けられた特定情報を生成し、第１のファイル名に特定情報を付加した第２のファイル名を生成する制御を行い、制御部１１は、画像データを第２のファイル名にリネームして記憶部１６に保存するため、元のファイル名やヘッダ情報を用いて写真プリント５の作成等の注文を行っても、注文店舗ではそのファイル名やヘッダ情報に対応する画像データを特定することができ、簡単かつ確実に注文を処理することができる。
【実施例２】
【００４１】
次に、本発明の第２の実施例に係る注文処理装置、注文処理システム及び制御プログラム並びに注文処理方法について、図７乃至図１３を参照して説明する。図７は、本実施例に係る注文処理システムの構成及び注文処理の流れを模式的に示す図であり、図８は、注文処理装置の構成を示すブロック図である。また、図９は、本実施例の注文処理手順を示すフローチャート図であり、図１０及び図１１は、各々、記録媒体、記憶部におけるデータのディレクトリ構造を示す図である。また、図１２は記録媒体におけるデータの記録領域を模式的に示す図であり、図１３は、ＣＤ−Ｒの構造例を示す図である。
【００４２】
前記した第１の実施例では、デジタルカメラ２やメディア３から読み取った画像データを記憶部１６にのみ記憶したが、本実施例では、図７に示すように、注文処理装置１０は、該画像データをＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等（以下、記録媒体４と呼ぶ。）に記録する処理も行うことを特徴とする。
【００４３】
本実施例の場合、注文処理装置１０は図８のようになり、前記した第１の実施例の構成に、読み取った画像データを記録媒体４に書き込む書込部１７が追加される。また、制御部１１は、予め定められたルールに従って、画像データを記録媒体４に記録するための第１のファイル名を生成し、第１のファイル名に、画像データの元のファイル名やヘッダ情報に関連付けられた特定情報を付加して、画像データを記憶部１６に保存するための第２のファイル名を生成する名称生成手段１１ａと、画像データに基づいてＤＶＤプレーヤやＤＶＤレコーダ、ＨＤＤレコーダ、ゲーム機などの家電機器でスライドショーとして再生するためのデータ（以下、家電機器用データと呼ぶ。）を生成したり、画像データのデータサイズを縮小したサムネイル画像データやスクリーンネイル画像データなどの縮小画像データを生成するデータ生成手段１１ｂなどを備える。
【００４４】
なお、前記した第１の実施例と同様に、上記名称生成手段１１ａはハードウェアとして構成してもよいし、コンピュータを、名称生成手段１１ａとして機能させる制御プログラムとして構成し、該制御プログラムを制御部１１上で動作させる構成としてもよい。
【００４５】
また、本実施例の注文処理装置１０には、少なくとも制御部１１と読取部１２と記憶部１６と書込部１７とを備えていればよく、これらの手段は注文処理装置１０に設けてもよいし、例えば、読取部１２を受付端末に設けたり、書込部１７をコンピュータ端末に設けたり、記憶部１６を外付けのＨＤＤやサーバなどとして、本実施例の注文処理を注文処理システムとして実行してもよい。
【００４６】
以下、初回の注文処理（図７の（１）、（２））について、図９のフローチャート図を参照して説明する。なお、２回目以降の注文処理（図７の（３）、（４））は前記した第１の実施例と同様であるため、説明を省略する。
【００４７】
まず、ステップＳ３０１で、ユーザがデジタルカメラ２やメディア３を注文店舗に提供すると、ステップＳ３０２で、注文処理装置１０の読取部１２は、デジタルカメラ２やメディア３から画像データを読み取る。このデジタルカメラ２やメディア３のディレクトリ構造は、第１の実施例で示した図５のようになる。
【００４８】
次に、ステップＳ３０３で、印刷部１３は読み取った画像データに基づいて写真プリント５などを作成する。なお、写真プリント５の作成は必須ではない。
【００４９】
次に、読み取った画像データを記録媒体４に記録するが、その際、複数のデジタルカメラ２やメディア３から読み取った画像データを１つの記録媒体４に記録すると、フォルダ名やファイル名が重複する場合があることから、ステップＳ３０４で、名称生成手段１１ａは、予め定められたルールに従って、ファイル名（第１のファイル名）や必要に応じてフォルダ名を生成する。
【００５０】
この第１のファイル名やフォルダ名の生成ルールは特に限定されないが、管理を容易にするためにユニークな名称とすることが好ましく、例えば、フォルダ名をROYYMMDDyyy_XXXXXXAABxxx（YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などとし、ファイル名をCCYYMMDDxxxxxx（CC：データの種別、YYMMDD：書き込み年月日を特定する数字、xxxxxx：シーケンシャル番号）などとすることができる。
【００５１】
次に、ステップＳ３０５で、必要に応じて、データ生成手段１１ｂは、画像データに基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）する。また、必要に応じて、各々の画像データのデータサイズを縮小したサムネイル画像データやスクリーンネイル画像データなどの縮小画像データを作成する。なお、画像データから動画データを作成する方法は特に限定されず、スライドショープログラムで設定されたスライド効果に基づいて画像を再生する場合はスライド効果に基づく差分データを付加して動画データを生成すればよいし、同じ画像を一定時間表示する場合にはスライド表示時間分の差分０のデータを付加して動画データを生成すればよい。
【００５２】
次に、ステップＳ３０６で、書込部１７に記録媒体４を装填する。この記録媒体４として市販されている任意の記録媒体を用いることができるが、特定の記録媒体に対してのみデータの記録が行われるようにしてもよく、その場合は、ステップＳ３０７で、制御部１１は、記録媒体４の所定の領域に該記録媒体４を識別するための識別情報が記録されているかを調べ、識別情報が記録されている場合に特定の記録媒体４と判断する。
【００５３】
この識別情報は、中身が容易に知られてしまうと識別情報自体もコピーされてしまうため、識別情報の少なくとも一部はコンピュータ機器のＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００５４】
ここで、一般的な記録媒体４（ＣＤ−Ｒ）の構造について、図１３を参照して説明すると、ＣＤ−Ｒは、ポリカーボネート基板２０上に、シアニン、フタロシアニン、アゾなどの有機色素層２１と銀などの反射層２２と保護層２３とが積層されて形成され、有機色素層２１に所定のパワーのレーザ光を当てて色素を分解して基板を変形させることでピットを形成し、情報の記録を行っているが、レーザパワーは、レーザ光を照射するレーザヘッドの方式や使用する有機色素層２１の種類に応じて最適な値が異なるため、情報の書き込みを確実に行うためにはＣＤ−Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００５５】
次に、記録媒体４に画像データや家電機器用データを記録するが、その際、家電機器ではデータを読み込むことができる記録領域が限定されるため、家電機器用データを記録する場合は、ステップＳ３０８で、書込部１７は、図１２に示すように、生成した家電機器用データを記録媒体４の論理アドレス領域の内周側に書き込み、必要に応じてセッションをクローズした後、ステップＳ３０９で、制御部１１は画像データを第１のファイル名にリネームし、書込部１７は画像データや必要に応じて縮小画像データ、アプリケーションなどを家電機器用データの外側に書き込む。なお、この論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００５６】
上記手順で作成された記録媒体４のディレクトリ構造は図１０（ａ）に示すようになり、画像データの格納場所を示すフォルダ（PS_Rollフォルダ）内に、所定のルールに従って生成された名称（ROYYMMDDyyy_XXXXXXAABxxxなど）のフォルダが作成され、その中に、所定のルールに従って生成された名称（ORYYMMDDxxxxxxなど）にリネームされた画像データと、必要に応じて縮小画像データが記録され、また、必要に応じてAPPLフォルダ内にスライドショープログラムやスライドショーの設定ファイルなどが記録され、これらでコンピュータ機器用データが構成される。
【００５７】
また、Ｖｉｄｅｏ−ＣＤ形式のデータを生成した場合は図１０（ａ）に示すように、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで家電機器用データが構成され、ＤＶＤ−Ｖｉｄｅｏ形式のデータを生成した場合は図１０（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで家電機器用データが構成される。
【００５８】
次に、ステップＳ３０２で読み取った画像データを記憶部１６に保存するが、その際、記録媒体４に記録したファイル名（第１のファイル名）で記憶部１６に記憶すると、ユーザが元のファイル名（すなわち、図５に示すファイル名）で写真プリント５を注文した場合に、そのファイル名の画像データを特定することができない。
【００５９】
そこで、本実施例では、ステップＳ３１０で、名称生成手段１１ａは、画像データの元のファイル名やヘッダ情報に基づいて、元のファイル名又はヘッダ情報に関連付けられた特定情報を生成する。この特定情報は、画像データを特定可能な情報であればよく、第１の実施例と同様に、画像データの元のファイル名（DSC00001など）としてもよいし、元のファイル名の一部（例えば、D01など）としてもよいし、元のファイル名やその一部に基づいて生成した情報（例えば、予め記憶した変換テーブルに基づいて変換した情報や暗号化した情報など）としてもよいし、画像データのヘッダ情報の一部（例えば、作成者と撮影日時）、又は、ヘッダ情報の一部に基づいて生成した情報としてもよい。
【００６０】
次に、ステップＳ３１１で、名称生成手段１１ａは、ステップＳ３０４で生成した第１のファイル名にステップＳ３１０で生成した特定情報を付加して、第２のファイル名（必要に応じてフォルダ名）を生成する。例えば、第１のファイル名をORYYMMDDxxxxxxとすると、特定情報が元のファイル名（DSCxxxxxx）の場合は、第２のファイル名はORYYMMDDxxxxxx-DSCxxxxxxなどとなる。また、特定情報が元のファイル名の一部（例えば、Dxx）の場合は、第２のファイル名はORYYMMDDxxxxxx-Dxxなどとなる。また、特定情報が元のファイル名に基づいて生成された情報（例えば、XYZ）の場合は、第２のファイル名はORYYMMDDxxxxxx-XYZなどとなる。また、特定情報がヘッダ情報（ＥＸＩＦ情報）の一部又はその一部に基づいて生成された情報（例えば、作成者（HA）と撮影日時（2007/3/9））の場合は、第２のファイル名はORYYMMDDxxxxxx-HA070309などとなる。
【００６１】
なお、第１のファイル名と特定情報との間の記号は省略してもよいし、第１のファイル名の先頭や途中に特定情報を付加することもできる。
【００６２】
そして、ステップＳ３１２で、制御部１１は、画像データを第２のファイル名にリネームして記憶部１６に記憶する。この記憶部１６のディレクトリ構造は図１１（ａ）〜（ｄ）に示すようになり、任意の名称のフォルダ（ここでは、記録媒体４のフォルダ名（ROYYMMDDyyy_XXXXXXAABxxx）にデジタルカメラ２又はメディア３のフォルダ名（DSCyymmdd）を付加したROYYMMDDyyy_XXXXXXAABxxxDSCyymmdd）内に、第２のファイル名にリネームした画像データが格納される。
【００６３】
このように、本実施例では、名称生成手段１１ａ又は制御プログラムは、予め定められたルールに従って、画像データを記録媒体４に書き込むための第１のファイル名を生成し、画像データの元のファイル名又はヘッダ情報に基づいて、元のファイル名又はヘッダ情報に関連付けられた特定情報を生成し、第１のファイル名に特定情報を付加して、画像データを記憶部１６に保存するための第２のファイル名を生成する制御を行うため、元のファイル名やヘッダ情報を用いて写真プリント５の作成等の注文を行っても、注文店舗ではそのファイル名やヘッダ情報に対応する画像データを特定することができ、簡単かつ確実に注文を処理することができる。
【００６４】
なお、第２の実施例では、画像データを記録媒体４に記録すると共に記憶部１６に保存する場合を示したが、例えば、画像データをサーバに記憶すると共に記憶部１６に保存する場合など、記憶部１６とは異なる任意の場所に画像データを記録／記憶する場合に対して、同様に適用することができる。
【００６５】
また、上記各実施例では、元のファイル名やヘッダ情報を用いて写真プリント５の焼き増しなどの注文を行う構成を示したが、例えば、読み取った画像データに色補正などの所定の処理を施してから写真プリント５を作成する場合には、所定の処理後の画像データを記憶部１６に保存しておくことにより、２回目以降の注文時に、ユーザが画像データそのものを提供した場合でも、その画像データのファイル名又はヘッダ情報から所定の処理後の画像データを特定することが可能となる。
【００６６】
また、上記各実施例では、画像データを保存する場合を示したが、本発明は上記実施例に限定されるものではなく、音楽データやコンテンツデータなどの他の種類のデータを保存する場合に対して同様に適用することができる。
【産業上の利用可能性】
【００６７】
本発明は、画像データを保存する機能を備えた注文処理装置又は注文処理システム、該装置又はシステムで動作する制御プログラム、該装置又はシステムを用いた注文処理方法に利用可能である。
【図面の簡単な説明】
【００６８】
【図１】本発明の第１の実施例に係る注文処理システムの構成及び注文処理の流れを模式的に示す図である。
【図２】本発明の第１の実施例に係る注文処理装置の構成を示すブロック図である。
【図３】本発明の第１の実施例に係る注文処理装置を用いた初回の注文処理の手順を示すフローチャート図である。
【図４】本発明の第１の実施例に係る注文処理装置を用いた２回目以降の注文処理の手順を示すフローチャート図である。
【図５】本発明の第１の実施例に係るデジタルカメラ又はメディアにおけるデータのディレクトリ構造を示す図である。
【図６】本発明の第１の実施例に係る注文処理装置の記憶部におけるデータのディレクトリ構造を示す図である。
【図７】本発明の第２の実施例に係る注文処理システムの構成及び注文処理の流れを模式的に示す図である。
【図８】本発明の第２の実施例に係る注文処理装置の構成を示すブロック図である。
【図９】本発明の第２の実施例に係る注文処理装置を用いた初回の注文処理の手順を示すフローチャート図である。
【図１０】本発明の第２の実施例に係る記録媒体におけるデータのディレクトリ構造を示す図である。
【図１１】本発明の第２の実施例に係る注文処理装置の記憶部におけるデータのディレクトリ構造を示す図である。
【図１２】記録媒体におけるデータの記録領域を模式的に示す図である。
【図１３】記録媒体（ＣＤ−Ｒ）の構造例を示す図である。
【符号の説明】
【００６９】
１  注文システム
２  デジタルカメラ
３  メディア
４  記録媒体
５  写真プリント
１０  注文処理装置
１１  制御部
１１ａ  名称生成手段
１１ｂ  データ生成手段
１２  読取部
１３  印刷部
１４  表示部
１５  操作部
１６  記憶部
１７  書込部
２０  ポリカーボネート基板
２１  有機色素層
２２  反射層
２３  保護層
【図１】
2008227997.tif 000003
【図２】
2008227997.tif 000004
【図３】
2008227997.tif 000005
【図４】
2008227997.tif 000006
【図５】
2008227997.tif 000007
【図６】
2008227997.tif 000008
【図７】
2008227997.tif 000009
【図８】
2008227997.tif 000010
【図９】
2008227997.tif 000011
【図１０】
2008227997.tif 000012
【図１１】
2008227997.tif 000013
【図１２】
2008227997.tif 000014
【図１３】
2008227997.tif 000015